(57)【要約】【課題】  角膜周辺部の形状測定の精度を向上させると共に、測定をスムーズに行う。【解決手段】  被検眼の顔を支持する顔支持ユニットと、被検眼角膜の中心部から周辺部に亘る広い範囲に角膜形状測定用の指標を投影し、角膜に投影された指標像を撮像する測定光学系とを備え、前記測定光学系により撮像された指標像を基に角膜形状を測定する眼科装置において、前記顔支持ユニットを左右方向に回転させることにより前記測定光学系に対して被検者の顔の向きを左右方向に変える回転機構であって、前記測定光学系により測定される測定眼を中心として前記顔支持ユニットを左右方向に回転させるための回転軸を有する回転機構を備える。【選択図】      図３
2007061314.tif 000002
【特許請求の範囲】
【請求項１】
被検眼の顔を支持する顔支持ユニットと、被検眼角膜の中心部から周辺部に亘る広い範囲に角膜形状測定用の指標を投影し、角膜に投影された指標像を撮像する測定光学系とを備え、前記測定光学系により撮像された指標像を基に角膜形状を測定する眼科装置において、
前記顔支持ユニットを左右方向に回転させることにより前記測定光学系に対して被検者の顔の向きを左右方向に変える回転機構であって、前記測定光学系により測定される測定眼を中心として前記顔支持ユニットを左右方向に回転させるための回転軸を有する回転機構を備えることを特徴とする眼科装置。
【請求項２】
請求項１の眼科装置において、前記回転機構は被検者の左眼を中心として前記顔支持ユニットを回転させるための左眼用回転軸と被検者の右眼を中心として回転させるための右眼用回転軸とを持つと共に、前記顔支持ユニットを回転させるための前記左眼用回転軸及び右眼用回転軸を切換える切換え機構を有することを特徴とする眼科装置。
【請求項３】
請求項２の眼科装置は測定する眼が左右何れであるかを選択する左右眼選択手段を備え、前記切換え機構は前記左右選択手段の選択信号に基づいて前記左眼用回転軸及び右眼用回転軸を選択的に切換える駆動手段を備えることを特徴とする眼科装置。
【請求項４】
請求項２の眼科装置において、前記前記左眼用回転軸又は右眼用回転軸を中心に前記顔支持ユニットを回転させるために、前記顔支持ユニットには検者もしくは被検者が手で操作するためのアームが設けられていることを特徴とする眼科装置。
【発明の詳細な説明】
【技術分野】
【０００１】
本発明は、被検眼角膜の中心部から周辺部に亘る広い範囲に角膜形状測定用の指標を投影して角膜形状を測定する眼科装置に関する。
【背景技術】
【０００２】
被検眼と被検者の鼻との距離より大きな径のプラチド板を有し、プラチド板に形成された多数のプラチドリング指標を角膜の広い範囲に亘って投影して角膜形状を測定する眼科装置が知られている（例えば、特許文献１参照）。この種の装置では、顎受け台や額当てを備える顔支持ユニットにより被検者の顔を支持することにより被検眼を固定してアライメント及び測定を行っている。
【特許文献１】特開２００１−２６９３１７号公報
【発明の開示】
【発明が解決しようとする課題】
【０００３】
上記のようにプラチドリング指標を広い範囲に投影する装置においては、測定眼に対して被検者の鼻よりも離れた所から指標を投影するため、欧米人のように高い鼻の被検者を測定対象とするときには、鼻によって指標光束の一部が遮光されてしまい、角膜周辺部の指標像が得られなくなってしまう。この対応として、被検者の顔の向きを少し左右に回転させた状態で測定を行う方法がとられていたが、被検者の顔を固定する顔支持ユニットは被検者の顔を正面方向に向けたときを想定した配置のため、被検者の顔がしっかり固定されず不安定な状態で測定される可能性がある。また、顎受け台の中心付近を中心にして顔を左右に回転させると、正面を向いた状態に対して測定眼の角膜位置が大きくずれるため、測定光学系を持つ測定部のアライメント位置も大きく変化させる必要が生じ、測定に手間取る。
【０００４】
本発明は、上記問題点を鑑み、角膜周辺部の形状測定の精度を向上させることができると共に、測定をスムーズに行うことができる眼科装置を提供することを技術課題とする。
【課題を解決するための手段】
【０００５】
上記課題を解決するために、本発明は以下のような構成を備えることを特徴とする。
【０００６】
（１）  被検眼の顔を支持する顔支持ユニットと、被検眼角膜の中心部から周辺部に亘る広い範囲に角膜形状測定用の指標を投影し、角膜に投影された指標像を撮像する測定光学系とを備え、前記測定光学系により撮像された指標像を基に角膜形状を測定する眼科装置において、前記顔支持ユニットを左右方向に回転させることにより前記測定光学系に対して被検者の顔の向きを左右方向に変える回転機構であって、前記測定光学系により測定される測定眼を中心として前記顔支持ユニットを左右方向に回転させるための回転軸を有する回転機構を備えることを特徴とする。
（２）  （１）の眼科装置において、前記回転機構は被検者の左眼を中心として前記顔支持ユニットを回転させるための左眼用回転軸と被検者の右眼を中心として回転させるための右眼用回転軸とを持つと共に、前記顔支持ユニットを回転させるための前記左眼用回転軸及び右眼用回転軸を切換える切換え機構を有することを特徴とする。
（３）  （２）の眼科装置は測定する眼が左右何れであるかを選択する左右眼選択手段を備え、前記切換え機構は前記左右選択手段の選択信号に基づいて前記左眼用回転軸及び右眼用回転軸を選択的に切換える駆動手段を備えることを特徴とする。
（４）  （２）の眼科装置において、前記前記左眼用回転軸又は右眼用回転軸を中心に前記顔支持ユニットを回転させるために、前記顔支持ユニットには検者もしくは被検者が手で操作するためのアームが設けられていることを特徴とする眼科装置。
【発明の効果】
【０００７】
本発明によれば、角膜周辺部の形状測定の精度を向上させることができると共に、測定をスムーズに行うことができる。
【発明を実施するための最良の形態】
【０００８】
本発明の実施形態について、図面に基づいて説明する。図１は本実施形態に係る眼科装置の外観略図である。図１（ａ）は被検者側正面図であり、図１（ｂ）は側面図である。
【０００９】
１は固定基台であり、基台１には被検者の顔を支持するための顔支持ユニット１０が固設されている。５は後述する測定光学系等が収納された測定部であり、５ａは測定光束等が通過する測定窓である。測定部５を搭載する本体部３はジョイスティック４を前後左右に動かすことにより、基台１上を前後左右方向（Ｚ、Ｘ方向）に移動される。また、ジョイスティック４に設けられた回転ノブ４ａを回すことにより、Ｙ（上下）方向駆動装置が作動し、測定部５は本体部３に対して上下方向（Ｙ方向）に移動される。ジョイスティック４の頂部には、測定開始スイッチ４１が設けられている。３９はタッチパネルが備えられたカラーモニタであり、観察用の被検眼像やアライメント情報、測定結果等の情報が表示される。また、画面上に表示される所定の各種ボタンに触ることで、所定のスイッチ信号を入力することができる。タッチボタンとしては、測定モードを切換えるものが用意されている。
【００１０】
顔支持ユニット１０は、被検者の額と当接する額当て１１と、被検者の顎を受ける顎受け１２と、額当て１１を支持する額当て支持部１３と、顎受け１２を支持する顎受け支持部１４を含む。回転ノブ１５が回されると、額当て支持部１３に内蔵された移動機構によって顎受け支持部１４及び顎受け１２が上下動する。
【００１１】
６０は支持ユニット１０を左右方向に回転させる回転機構６０である。図２は、回転機構６０の筐体内の構成について説明する概略断面図である。６１は基台１に固設されたベース部である。６２はベアリングを介してベース部６１に対して移動可能な可動台であり、左右それぞれにギア部６３Ｒ，６３Ｌが形成されている。６８は可動台６２の左右中央部に取り付けられた支柱であり、顔支持ユニット１０と可動台６２とを連結する。ギア部６３Ｒ、６３Ｌは、ベース部６１に取り付けられたモータ６４Ｒ、６４Ｌによって回転駆動されるピニオン６５Ｒ、６５Ｌとギア結合している。６６Ｒ、６６Ｌは可動台６２に形成されたピン孔６２Ｒａ、６２Ｌａに挿入される回転ピンである。ピン６６Ｒ、６６Ｌは直動型のソレノイド６７Ｒ、６７Ｌの駆動により上下動されピン孔６２Ｒａ、６２Ｌａに対して挿脱される。初期状態においては、ピン６６Ｒ、６６Ｌは、ピン孔６２Ｒａ、６２Ｌａに挿入された状態となっており、支持ユニット１０は、装置本体に対して正面を向いた状態の被検者の顔を支持するための配置となっている。
【００１２】
図３は、回転機構６０の要部を上方より見たときの図である。ピン６６Ｒは、支持ユニット１０に顔を支持された被検者の右眼ＥＲの回旋中心ＥROに対して、ピン６６Ｒの回転軸が略一致する位置に配置されている（図３（ａ）参照）。ピン６６Ｌは、支持ユニット１０に顔を支持された被検者の左眼ＥＬの回旋中心ＥLOに対して、ピン６６Ｌの回転軸が略一致する位置に配置されている（図３（ｂ）参照）。ピン６６Ｒとピン６６Ｒの左右方向の間隔は、平均的な被検者の瞳孔間距離６４mmとされている。また、ピン６６Ｒとピン６６Ｒの前後方向の位置は、支持ユニット１０に被検者が顔を置いたときに、平均的な被検者の右眼ＥＲの回旋中心ＥRO及び左眼ＥＬの回旋中心ＥLOが略一致する位置とされている。
【００１３】
図３（ａ）において、ギア部６３Ｌのギア形状は、ピン６６Ｒの回転軸が回転中心（ピッチ円の中心）となるように形成されている。実線により描かれた可動台６２が初期位置にある可動台６２を示すものである。ここで、ピン６６Ｌがピン孔６２Ｌａから外され、モータ６４Ｌの駆動によりピニオン６５ＬがＡ方向に回転すると、ピン６６Ｒを中心に可動台６２がＢ方向に回転移動する（２点鎖線により描かれた可動台６２）。このとき、ピン６６Ｒの回転軸は右眼ＥＲの回旋中心付近に位置するので、可動台６２はベース部６１に対して右眼ＥＲの回旋中心ＥRO付近を中心にＡ方向（左方向）に回転する。これにより、支柱６８によって可動台６２と連結される支持ユニット１０も同様に、右眼ＥＲの回旋中心ＥRO付近を中心にＢ方向（左方向）に回転することとなる。
【００１４】
なお、可動台６２の回転動作の間、ピニオン６５Ｒとギア部６３Ｒの距離は可動台６２の回転に伴って大きくなるため、これらの歯車同士の噛合いによって可動台６２の回転移動が阻止されない。なお、本実施形態では、ピン６６Ｒに対してピニオン６５Ｒが検者側に設けられているため、ピニオン６５Ｒに対してギア部６３Ｒが当接しにくい。
【００１５】
また、ギア部６３Ｒのギア形状も、ピン６６Ｌの回転軸が回転中心（ピッチ円の中心）となるように形成されている。ソレノイド６７Ｌによってピン６６Ｌがピン孔６２Ｌａに挿入されると共に、ソレノイド６７Ｒによってピン６６Ｒがピン孔６２Ｒａから外されることにより、可動台６２と連結される支持ユニット１０の回転中心がピン６６Ｌに切換えられる。ソレノイド６７Ｒ，６７Ｌは右眼用回転軸となるピン６６Ｒ，左眼用回転軸となるピン６６Ｌの切換え機構を構成する。そして、モータ６４Ｒの駆動によりピニオン６５ＲがＣ方向に回転すると、ピン６６Ｌを中心に可動台６２がＤ方向（右方向）に回転移動する。ピン６６Ｌの回転軸は左眼ＥＬの回旋中心付近に位置するので、可動台６２と連結される支持ユニット１０も、左眼ＥＬの回旋中心ＥLO付近を中心にＤ方向（右方向）に回転することとなる。
【００１６】
図４は測定部５に収納される光学系及び制御系を説明する概略構成図である。１０１は多重のプラチドリング指標を被検眼の角膜Ｅｃ上に投影するためのプラチド指標投影光学系である。１０２は中央部に開口を持つ略半球状（ドーム型）で被検者の顔を覆う程度の大きさを持つプラチド板であって、光軸Ｌ１を中心にした同心円の多数の透光部と遮光部を持つリングパターンが形成されている。プラチド板１０２は被検眼と被検者の鼻との距離より大きな径を有し、プラチド板１０２に形成された多数のプラチドリング指標が角膜の広い範囲に亘って投影される。１０３は可視光を発するＬＥＤ等の照明光源で、光源１０３を発した光は反射板１０４で反射され、プラチド板１０２を背後からほぼ均一に照明する。プラチド板１０２の外周には近赤外光を発する前眼部照明光源１０５が設けられている。
【００１７】
２０は被検眼の前眼部を観察又は撮影する前眼部観察光学系であり、観察光学系２０は、ビームスプリッタ１４、観察用対物レンズ１９、ビームスプリッタ１５、撮像レンズ１６、テレセントリック絞り１７、及び二次元撮像素子１８によって構成され、被検眼前眼部からの光束は、ビームスプリッタ１４で反射された後、レンズ１９、ビームスプリッタ１５、レンズ１６、絞り１７を介して撮像素子１８に撮像される。なお、撮像素子１８は、前眼部観察、プラチドリング像の検出（撮影）に使用される。
【００１８】
３０は被検眼に固視標を投影する固視標投影光学系であり、可視光を出射する固視光源３１と、固視光源３１によって一様に照明される固視標板３２、固視標板３２からの光を被検眼へと導くためのレンズ３３を有する。固視光源３１で照明された固視標３２はレンズ３３、ビームスプリッタ１５、レンズ１９、ビームスプリッタ１４を介して被検眼に視認される。また、ビームスプリッタ１４の透過方向には、被検眼の眼屈折力を測定する眼屈折力測定光学系５０が設けられている。眼屈折力測定光学系５０は、被検眼眼底に測定光束を投光し、被検眼眼底からの反射光束を受光素子に受光させる光学系であり、眼屈折力が受光素子の出力に基づいて測定される。この眼屈折測定光学系及びその測定原理は周知のものが使用できるので、ここではその説明を省略する。
【００１９】
次に、制御系の構成について説明する。７０は制御部であり、撮像素子１８によって検出されたリング指標に基づいて被検眼の角膜形状を求める。また、制御部７０は眼屈折測定光学系５０の受光素子から出力に基づいて眼屈折力を演算する。メモリ７５は測定結果等のデータを記憶する。７６Ｒ，７６Ｌはモータ６４Ｒ，６４Ｌの駆動により支持ユニット１０を回転させるための回転スイッチであり、７６Ｒが右眼用スイッチであり、７６Ｌが左眼用スイッチである。この他、制御部７０には、ジョイスティック４、測定開始スイッチ４１、画像メモリ７７、各光源、モータ６４Ｒ及び６４Ｌ、ソレノイド６７Ｒ及び６７Ｌ等が接続されている。
【００２０】
以上のような構成を備える装置において、その動作について説明する。初期状態においては、顔支持ユニット１０は測定部５の測定光軸Ｌ１に対して垂直な関係となっている。被検者の顎を顔支持ユニット１０の顎受け１２に当接してもらい、被検者の額を額当て１１に当接してもらうと、被検者の顔は装置本体（測定部５）に対して正面を向いた状態で固定される（図５参照）。
【００２１】
検者は固視標３２を被検者の測定眼に固視させておき、モニタ３９に表示される前眼部像Ｆ（図４参照）を観察してジョイスティック４等の操作で測定部５のＸＹＺ移動によってアライメントを行う。この場合、図示なきアライメント指標投影光学系によって被検眼角膜上に投影されたアライメント指標像Ｍをモニタ３９で見ながら手動アライメントを行ってもよいし、撮像素子１８で撮像された指標像の位置に基づいて測定部５を自動的に移動させる自動アライメントを用いるようにしてもよい。
【００２２】
眼屈折力を測定するときは、モニタ３９に表示されるタッチボタンにより眼屈折力測定モードに設定しておく。測定スイッチ４１が押されると、眼屈折力測定光学系５０により測定が実行される。眼屈折力を測定するときは、被検眼の顔が正面を向かせて測定することが、測定精度の点で好ましい
角膜形状測定を測定する場合は、モニタ３９に表示されるタッチボタンにより角膜形状測定モードを設定する。検者がアライメント調整を完了させた後、測定スイッチ４１が押されると、照明光源１０３が所定時間点灯されてプラチドリング像が角膜Ｅｃに投影される。プラチドリング像は前眼部像と共に撮像素子１８によって撮像され、画像メモリ７７に記憶される。制御部７０は、画像メモリ７７に記憶されたプラチド画像を画像処理して、プラチドリング像のエッジ検出を行う。そして、所定の角度（１度）ステップ毎に角膜中心に対する各エッジ位置を得ることにより角膜曲率分布を求める。
【００２３】
ここで、被検者の鼻によりプラチドリング指標光束の遮光されている場合を説明する。右眼を測定する場合、図５（ａ）に示すように、プラチド板１０２に形成されたプラチドリング指標から測定眼までの間に被検者の鼻があると、プラチドリング指標光束の一部がけられ（遮光され）、プラチドリング指標光束が測定眼に到達しない。そのため、被検眼角膜上に投影されるプラチドリング指標像は、図５（ｂ）の前眼部像に示すように、その一部が欠けてしまう（図中のＷ部分）。このようなプラチドリング指標像の欠けは、角膜周辺部の鼻側部分で特に起こりやすい。この場合、リング指標像が欠けた部分に関する角膜曲率分布を得ることができないため、角膜周縁部での形状測定の精度が劣り、レーザ屈折矯正、コンタクトレンズのフィッティング、及び角膜の病的な異常等に有用な情報を得ることが困難となる。
【００２４】
そこで、上記のような場合、支持ユニット１０を装置本体に対して左又は右方向に回転させることによって被検者の顔の向きを傾けてから測定を行う。検者は、角膜に投影されたプラチドリング指標光束の一部が被検者の鼻によってケラれていることをモニタ３９に表示される測定結果や撮影像等で確認したら、まず、回転スイッチ７６（測定眼が右眼ならスイッチ７６Ｒ、左眼ならスイッチ７６Ｌ）の入力操作によって支持ユニット１０を回転させる。このとき、被検者に対して支持ユニット１０が動いても固視標３２を固視するように指示するとよい。
【００２５】
例えば、測定眼が右眼ＥＲのときに指標光束のケラれが生じた場合、検者はスイッチ７６Ｒを押す。スイッチ７６Ｒから入力信号があると、制御部７０は、ソレノイド６７Ｌの駆動によりピン６６Ｌをピン孔６２Ｌａから抜き出すとともに、モータ６４Ｌを回転駆動させる。このとき、支持ユニット１０の額当て１１や顎受け１２によって被検者の顔を支持した状態で支持ユニット１０が回転される（被検者から向かって左方向に回転される）。また、顔支持ユニット１０は、右眼ＥＲの回旋中心ＥRO付近を中心に回転されるので、被検者の顔の向きが変えられても、測定眼である右眼に対する測定部５の位置は大きく変動することなく、ほぼ一定の位置関係に維持される（図６（ａ）参照）。このため、被検者の顔が正面を向いた状態に対して、モニタ３９に表示される前眼部像Ｆが画面から消えるにくくなり、被検眼に対する測定部５のライメント調整をスムーズに行える。指標像Ｍに基づく自動アライメント（自動追尾）の場合にも、指標像Ｍが検出され易いので、自動アライメントも速やかに作動するようになる。
【００２６】
支持ユニット１０が所定の位置まで回転したら（あるいは、検者がスイッチ７６Ｒの押すのを止め、スイッチ信号の入力が無くなると）、制御部７０は、モータ６４Ｌの回転駆動を終了する。このようにして、被検者の顔の向きが装置本体に対して正面から左向きに変えられる（図６（ａ）参照）。その後、検者は、被検眼に対するアライメントを確認した後、測定スイッチ４１を入力し、再度測定（プラチドリング像の撮影）を行う。図６（ｂ）は被検者の顔を斜め方向に向けたときのプラチドリング像である。このようにすれば、プラチドリング指標光束が被検者の鼻にケラれることを少なくして、角膜中央部から比較的広い角膜周辺部までのプラチドリング像が得られ、角膜周辺部の測定精度の向上を図ることができる。また、支持ユニット１０により被検者の顔が支持された状態で顔の向きが変えられるため、安定した測定結果を得ることができ、測定精度の向上が図られる。
【００２７】
また、本実施形態の回転機構６０によれば、測定部３に対する測定眼の位置を一定に保ったまま被検者の顔の向きを変えることができる。これにより、被検者の顔の向きを変えても測定眼の位置の変化少ないので、前述のように測定眼に対するアライメント調整の手間が軽減される。
【００２８】
右眼ＥＲの測定が終了したら、続いて左眼ＥＬを測定する。スイッチ７６Ｒが再度押されると、制御部７０はモータ６４Ｌを逆回転させ、顔支持ユニット１０が正面を向く位置で止める。モータ６４Ｌの回転が停止すると、ソレノイド６７Ｌの駆動によりピン６６Ｌがピン孔６２Ｌａに挿入される。角膜形状測定モードで左眼を測定すためにスイッチ７６Ｌが押されると、制御部７０は、今度はソレノイド６７Ｒの駆動によりピン６６Ｒをピン孔６２Ｒａから抜き出すとともにモータ６４Ｒを回転駆動させる。これにより、顔支持ユニット１０が右眼のときに対して逆方向の回転に切換えられる（被検者から向かって右方向に回転される）。被検者の顔を回転させた後、前述と同様に角膜形状の測定を実行することにより、左眼においても鼻によるプラチドリング指標光束のケラれを少なくした測定が行える。
なお、眼屈折力測定モードで左眼の眼屈折力を測定するときは、一旦被検者の顔を正面に向かせた状態でアライメント完了させた後に測定を実行することが好ましい。
【００２９】
上記の回転機構６０に関して、顔支持ユニット１０の回転軸であるピンは、必ずしも厳密に測定眼の回旋中心に合わせる必要はなく、測定眼を中心に合わせる程度であればよい。すなわち、顔の向きを変えることで測定眼の位置が多少動いても、測定眼に対するアライメントが容易に行える程度であればよい。よって、例えば、顔支持ユニット１０の回転軸を角膜中心の位置に合わせるようにしてもよい。
【００３０】
以上の説明においては、顔支持ユニット１０として、額当て１１や顎受１２を挙げたが、これに限るものではなく、被検者の顔の動きを安定させた状態で、顔の向きを変えられるものであればよい。
【００３１】
また、以上の説明においては、右眼用スイッチ７６Ｒ、左眼用スイッチ７６Ｌからの選択信号に基づいて右眼用回転軸および左眼用回転軸を切換えるような構成としたが、これに限るものではない。例えば、測定眼が左右何れであるかを自動的に検出し、その左右眼選択信号に基づいて右眼用回転軸および左眼用回転軸を切換えるものであってもよい。このようにすれば、スイッチ構成を簡略化できる。なお、測定眼が左右何れであるかを自動的に検出する構成としては、周知の構成である、装置の左右中央（本実施形態では、顎受け支持部１４）に対して測定部３が左右どちらにあるかを検出する構成を用いることができる。。
【００３２】
また、上記の実施形態においては、顔支持ユニット１０をモータの駆動により回転させるような構成としたが、検者や被検者の手動操作により回転させる構成であってもよい。以下に、図７及び図８を用いて、手動方式の回転機構の構成について説明する。なお、図２と同様の番号を付したものについては、特段の説明がない限り、同様の構成のものとする。
【００３３】
この場合、顔支持ユニット１０には検者操作用アーム９０と被検者操作用アーム９１が設けられており、顔支持ユニット１０を回転させやすい構成となっている。図８は回転機構６０の要部を上方より見たときの図であり、図８（ａ）は右眼を中心に回転させる場合であり、図８（ｂ）が左眼を中心に回転させる場合である。図において、６９Ｌはピン６６Ｌが挿脱される第２のピン孔であり、６９Ｒはピン６６Ｒが挿脱される第２のピン孔である。ピン孔６２Ｒａにピン６６Ｒが挿入され、ピン６６Ｒを中心に可動台６２を矢印Ａ方向（被検者から向かって左方向）に所定量回転させたときに、ピン孔６９Ｌにピン６６Ｌを挿入することにより、ベース部６１に対して可動台６２が固定される。一方、ピン孔６２Ｌａにピン６６Ｌが挿入され、ピン６６Ｌを中心に可動台６２を矢印Ｂ方向（被検者から向かって右方向）に所定量回転させたときに、ピン孔６９Ｒにピン６６Ｒを挿入することにより、ベース部６１に対して可動台６２が固定される。
【００３４】
右眼を測定する場合について説明する。右眼を測定するための所定のスイッチが押されると、制御部７０は、ソレノイド６７Ｌの駆動によりピン６６Ｌをピン孔６２Ｌａから抜き出す。次に、検者が検者用アーム９０を手で操作し（又は被検者がアーム９１を手で操作し）、顔支持ユニット１０をＡ方向に回転させる。このとき、顔支持ユニット１０は右眼ＥＲの回旋中心ＥRO付近を中心回転する。その後、図示なき回転リミットによって可動台６２の回転が規制されたら、再度所定のスイッチを操作して、ソレノイド６７Ｌを駆動させピン６６Ｌをピン孔６９Ｌに挿入させる。これにより、顔支持ユニット１０の位置が固定される。
【００３５】
左眼を測定する場合、左眼を測定するために所定のスイッチが押されると、ピン６６Ｌがピン孔６２Ｌａに挿入され、ピン６６Ｒが６２Ｒａから外される。これにより、顔支持ユニット１０を回転させるときの回転軸が切換えられ、顔支持ユニット１０がＢ方向に回転可能になる。アーム９０又は９１の操作により顔支持ユニット１０がＢ方向に所定量回転された後、再度所定のスイッチが押されると、ピン６６Ｒがピン孔６９Ｒに挿入され、顔支持ユニット１０の位置が固定される。
【００３６】
なお、以上の説明において、ピン６６Ｒ，６６Ｌを挿脱可能な複数の位置にピン孔６９Ｌ，６９Ｒと同様のものをそれぞれ設けることにより、複数の回転量で顔支持ユニット１０を固定させるようにしてもよい。
【００３７】
また、以上の説明においては、ピン６６Ｒ，６６Ｌを電動で上下動させて顔支持ユニット１０の回転軸を切換える構成としたが、手動操作によってピン６６Ｒ，６６Ｌを上下動させるような機構を設けるようにしてもよい。この場合、ピン６６Ｒ，６６Ｌをオルタネイト動作型（位置保持型）のスイッチに取り付けるような構成としても良い。
【００３８】
なお、上記回転機構６０は、角膜形状測定と共に、眼屈折力等の被検眼の光学特性を測定する機能を有する複合型眼科装置においても有用である。例えば、被検者の顔を装置本体に対して正面を向けた状態で眼屈折力測定を行った後、被検者の顔を装置本体に対して斜め方向を向けた状態で角膜形状測定を行うような場合、これらの測定をスムーズに行うことができる。
【図面の簡単な説明】
【００３９】
【図１】本実施形態に係る眼科装置の外観略図である。
【図２】回転機構の筐体内の構成について説明する概略断面図である。
【図３】回転機構の要部を上方より見たときの図である。
【図４】測定部に収納される光学系及び制御系を説明する概略構成図である。
【図５】測定光学系に対して被検者の顔を正面に向けたときの状態図と、そのときの前眼部像及びプラチドリング像を示す図である。
【図６】測定光学系に対して被検者の顔を斜め方向に向けたときの状態図と、そのときの前眼部像及びプラチドリング像を示す図である。
【図７】手動方式の回転機構の構成について説明する概略断面図である。
【図８】手動方式の回転機構の要部を上方より見たときの図である。
【符号の説明】
【００４０】
１０  顔支持ユニット
２０  前眼部観察光学系
３０  固視標投影光学系
６０  回転機構
６４Ｒ、６４Ｌ  モータ
６６Ｒ，６６Ｌ  回転ピン
６７Ｒ、６７Ｌ  ソレノイド
７６Ｒ，７６Ｌ  回転スイッチ
９０  検者操作用アーム
９１  被検者操作用アーム
１０１  プラチド指標投影光学系
１０２  プラチド板
【図１】
2007061314.tif 000003
【図２】
2007061314.tif 000004
【図３】
2007061314.tif 000005
【図４】
2007061314.tif 000006
【図５】
2007061314.tif 000007
【図６】
2007061314.tif 000008
【図７】
2007061314.tif 000009
【図８】
2007061314.tif 000010